(57)【要約】【課題】ダイアフラム体を本体部に容易に取り付けることができるダイアフラムポンプおよびダイアフラムポンプの組立方法を提供する。【解決手段】スプール３１を押圧して収容部３２の上端側に移動させることにより流体供給先を強制的に決定する押圧操作部３３に対し、押圧した状態を維持可能な維持機構５が設けられていることで、スプール３１を上端側に移動させ、流体供給先が切り換わらないようにすることができる。従って、作業時にセンターロッド２２が意図せずに移動することを抑制し、ダイアフラム体２３Ａを本体部２９に容易に取り付けることができる。【選択図】図４
2020133516.tif 000002
【特許請求の範囲】
【請求項１】
一対の作動流体室に作動流体を供給する供給手段と、送流体室と前記作動流体室とを区画するダイアフラム体と、前記ダイアフラム体が取り付けられることで前記作動流体室を形成する本体部と、一対の前記ダイアフラム体に接続されて往復移動するセンターロッドと、前記ダイアフラム体の動作を検出する検出装置と、前記ダイアフラム体の動作に応じて前記供給手段の流体供給先を切り換える切換装置と、を備えたダイアフラムポンプであって、
前記切換装置は、前記ダイアフラム体の動作に応じて軸方向に移動することで流体供給先を切り換える柱状部材と、該柱状部材を収容する筒状の収容部と、前記柱状部材を押圧して前記収容部の一端側に移動させることにより流体供給先を強制的に決定する押圧操作部と、を備え、
前記押圧操作部には、前記柱状部材を押圧した状態を維持可能な維持機構が設けられていることを特徴とするダイアフラムポンプ。
【請求項２】
前記維持機構は、前記収容部に対して固定される被固定部と、前記押圧操作部に対して前記柱状部材の反対側に取り付けられるとともに前記被固定部によって支持可能な被支持部と、を有することを特徴とする請求項１に記載のダイアフラムポンプ。
【請求項３】
前記被固定部が雌ネジ部を有するとともに前記被支持部が雄ネジ部を有し、前記雌ネジ部と前記雄ネジ部とが螺合することで前記被支持部が前記被固定部によって支持されることを特徴とする請求項２に記載のダイアフラムポンプ。
【請求項４】
前記切換装置は、前記収容部の開口を塞ぐフランジ部をさらに備え、
前記フランジ部および前記被固定部が、共締めによって前記収容部に対して固定されることを特徴とする請求項２又は３に記載のダイアフラムポンプ。
【請求項５】
一対の作動流体室に作動流体を供給する供給手段と、送流体室と前記作動流体室とを区画するダイアフラム体と、前記ダイアフラム体が取り付けられることで前記作動流体室を形成する本体部と、一対の前記ダイアフラム体に接続されて往復移動するセンターロッドと、前記ダイアフラム体の動作を検出する検出装置と、前記ダイアフラム体の動作に応じて前記供給手段の流体供給先を切り換える切換装置と、を備えたダイアフラムポンプの組立方法であって、
一方の前記ダイアフラム体を前記本体部に取り付けた後、前記切換装置において、前記ダイアフラム体の動作に応じて軸方向に移動することで流体供給先を切り換える柱状部材を、筒状の収容部において一端側に移動するように押圧することで前記一方のダイアフラム体側の前記作動流体室に前記作動流体を供給させるとともに、前記柱状部材を押圧した状態を維持し、他方の前記ダイアフラム体を前記本体部に取り付けることを特徴とするダイアフラムポンプの組立方法。
【発明の詳細な説明】
【技術分野】
【０００１】
本発明は、ダイアフラムポンプおよびダイアフラムポンプの組立方法に関する。
【背景技術】
【０００２】
一般に、一対のポンプ室を有するとともにセンターロッドの往復移動によって流動体を吐出するダイアフラムポンプでは、一対の作動流体室に対して作動流体が交互に供給され、センターロッドが往復移動するようになっている。このようなダイアフラムポンプとして、ダイアフラムとセンターロッドとを接続するディスク部材が検出子に当接するものが提案されている（例えば、特許文献１参照）。特許文献１に記載されたダイアフラムポンプでは、作動流体室の収縮時にディスク部材が検出子に当接し、検出子が移動することで作動流体の供給先が切り換えられるようになっている。
【先行技術文献】
【特許文献】
【０００３】
【特許文献１】特開２０１４−２１４６２９号公報
【発明の概要】
【発明が解決しようとする課題】
【０００４】
特許文献１に記載されたようなダイアフラムポンプでは、センターロッドの移動に伴ってダイアフラムが所定形状に変形するように、ダイアフラムは、作動流体室が収縮した際に自然状態に近づき、作動流体室が膨張した際に自然状態からの変形が大きくなるように、本体部に取り付けられることがある。このような構成においては、出荷時やメンテナンス時においてダイアフラムを本体部に取り付ける際、取り付け側とは反対側の作動流体室を膨張させるように、作動流体を供給する必要がある。
【０００５】
しかしながら、取り付け側とは反対側の作動流体室への供給圧を上昇させすぎると、センターロッドが移動することでディスク部材が検出子に当接してしまい、作動流体の供給先が切り換わってセンターロッドが意図せずに移動し、ダイアフラムの取り付け作業が阻害されてしまう可能性があった。そこで、ディスク部材と検出子が当接しない程度の供給圧で作動流体を供給する方法も考えられるものの、作業者が供給圧を管理する必要があり、作業性が低下してしまう。
【０００６】
本発明の目的は、ダイアフラム体を本体部に容易に取り付けることができるダイアフラムポンプおよびダイアフラムポンプの組立方法を提供することにある。
【課題を解決するための手段】
【０００７】
本発明のダイアフラムポンプは、一対の作動流体室に作動流体を供給する供給手段と、送流体室と前記作動流体室とを区画するダイアフラム体と、前記ダイアフラム体が取り付けられることで前記作動流体室を形成する本体部と、一対の前記ダイアフラム体に接続されて往復移動するセンターロッドと、前記ダイアフラム体の動作を検出する検出装置と、前記ダイアフラム体の動作に応じて前記供給手段の流体供給先を切り換える切換装置と、を備えたダイアフラムポンプであって、前記切換装置は、前記ダイアフラム体の動作に応じて軸方向に移動することで流体供給先を切り換える柱状部材と、該柱状部材を収容する筒状の収容部と、前記柱状部材を押圧して前記収容部の一端側に移動させることにより流体供給先を強制的に決定する押圧操作部と、を備え、前記押圧操作部には、前記柱状部材を押圧した状態を維持可能な維持機構が設けられていることを特徴とする。
【０００８】
以上のような本発明によれば、柱状部材を押圧して収容部の一端側に移動させることにより流体供給先を強制的に決定する押圧操作部に対し、押圧した状態を維持可能な維持機構が設けられていることで、柱状部材を一端側に移動させ、流体供給先が切り換わらないようにすることができる。従って、作業時にセンターロッドが意図せずに移動することを抑制し、ダイアフラム体を本体部に容易に取り付けることができる。
【０００９】
尚、２つのダイアフラム体のうち、押圧操作部によって柱状部材が押圧された際に作動流体が供給される作動流体室を形成する方を先に本体部に取り付ければよい。１つ目のダイアフラム体を取り付ける際には、反対側に作動流体室が形成されていないため、作動流体を供給する必要がなく、センターロッドの意図しない移動が起こりにくい。
【００１０】
この際、本発明のダイアフラムポンプでは、前記維持機構は、前記収容部に対して固定される被固定部と、前記押圧操作部に対して前記柱状部材の反対側に取り付けられるとともに前記被固定部によって支持可能な被支持部と、を有することが好ましい。このような構成によれば、被固定部によって被支持部を支持することで押圧操作部の移動を規制し、センターロッドの移動を抑制することができる。
【００１１】
さらに、本発明のダイアフラムポンプでは、前記被固定部が雌ネジ部を有するとともに前記被支持部が雄ネジ部を有し、前記雌ネジ部と前記雄ネジ部とが螺合することで前記被支持部が前記被固定部によって支持されることが好ましい。このような構成によれば、雌ネジ部と雄ネジ部とを螺合させることで柱状部材を押圧した状態を維持し、雌ネジ部と雄ネジ部との螺合を解除することで柱状部材の押圧を維持しない状態とすることができる。従って、ダイアフラムポンプの組立が完了して運転する際には、螺合を解除すればよく、維持機構を取り外す必要がない。
【００１２】
また、本発明のダイアフラムポンプでは、前記切換装置は、前記収容部の開口を塞ぐフランジ部をさらに備え、前記フランジ部および前記被固定部が、共締めによって前記収容部に対して固定されることが好ましい。このような構成によれば、被固定部を固定するための部位を、フランジ部や収容部に形成する必要がない。従って、従来形状のフランジ部を流用しやすく、低コストで維持機構を設けることができる。
【００１３】
本発明のダイアフラムポンプの組立方法は、一対の作動流体室に作動流体を供給する供給手段と、送流体室と前記作動流体室とを区画するダイアフラム体と、前記ダイアフラム体が取り付けられることで前記作動流体室を形成する本体部と、一対の前記ダイアフラム体に接続されて往復移動するセンターロッドと、前記ダイアフラム体の動作を検出する検出装置と、前記ダイアフラム体の動作に応じて前記供給手段の流体供給先を切り換える切換装置と、を備えたダイアフラムポンプの組立方法であって、一方の前記ダイアフラム体を前記本体部に取り付けた後、前記切換装置において、前記ダイアフラム体の動作に応じて軸方向に移動することで流体供給先を切り換える柱状部材を、筒状の収容部において一端側に移動するように押圧することで前記一方のダイアフラム体側の前記作動流体室に前記作動流体を供給させるとともに、前記柱状部材を押圧した状態を維持し、他方の前記ダイアフラム体を前記本体部に取り付けることを特徴とする。このような本発明によれば、上記と同様に、柱状部材を押圧した状態を維持しつつのダイアフラムを本体部に取り付けることで、センターロッドが意図せずに移動することを抑制し、ダイアフラム体を本体部に容易に取り付けることができる。
【発明の効果】
【００１４】
以上のような本発明のダイアフラムポンプおよびダイアフラムポンプの組立方法によれば、柱状部材を押圧して一端側に移動させた状態を維持することで、ダイアフラム体を本体部に容易に取り付けることができる。
【図面の簡単な説明】
【００１５】
【図１】本発明の実施形態に係るダイアフラムポンプのポンプ本体を示す断面図である。
【図２】前記ダイアフラムポンプを示す断面図である。
【図３】前記ダイアフラムポンプの切換装置を示す斜視図である。
【図４】前記切換装置に維持機構が設けられた様子を示す斜視図である。
【図５】前記切換装置において柱状部材が押圧されていない様子を示す断面図である。
【図６】前記切換装置において柱状部材が押圧された様子を示す断面図である。
【図７】本発明の変形例のダイアフラムポンプにおける切換装置の要部を示す部分断面図である。
【発明を実施するための形態】
【００１６】
以下、本発明の各実施形態を図面に基づいて説明する。本実施形態のダイアフラムポンプ１は、図１、２に示すように、ポンプ本体２と切換装置３と供給手段（不図示）とを備え、例えば空気等の気体を作動流体として用い、液体等の流動体を吐出するものである。本実施形態では、ポンプ本体２の上下方向をＺ方向とし、Ｚ方向に略直交する２方向をそれぞれＸ方向およびＹ方向とする。尚、ポンプ本体２は、Ｚ方向が鉛直方向に沿うように設置されてもよいし、多少の傾きを有して設置されてもよい。
【００１７】
ポンプ本体２は、一対のポンプ部２１Ａ、２１Ｂと、センターロッド２２と、検出装置４と、を備える。一対のポンプ部２１Ａ、２１Ｂは、互いに対称に形成され、センターロッド２２の端部に接続される一対のダイアフラム体２３Ａ、２３Ｂと、入口側逆止弁２４と、出口側逆止弁２５と、を備える。
【００１８】
ダイアフラム体２３Ａ、２３Ｂは、ディスク２６、２７によって挟み込まれることによりセンターロッド２２に固定される。ポンプ本体２は、筐体２８と、筐体２８に収容されるとともにセンターロッド２２が貫通する本体部２９と、を有し、ダイアフラム体２３Ａ、２３Ｂは、筐体２８と本体部２９との間の空間を、ポンプ室（送流体室）Ａ１と作動流体室Ａ２とに区画する。即ち、本体部２９にダイアフラム体２３Ａ、２３Ｂが取り付けられることにより、作動流体室Ａ２が形成される。ディスク２６が作動流体室Ａ２に配置され、後述する検出子４１に当接可能となっている。
【００１９】
Ｘ方向に沿って延びるセンターロッド２２がＸ方向に移動することによりダイアフラム体２３Ａ、２３Ｂが変形し、一方のポンプ部２１Ａにおいてポンプ室Ａ１が膨張する（作動流体室Ａ２が収縮する）と、他方のポンプ部２１Ｂにおいてポンプ室Ａ１が収縮する（作動流体室Ａ２が膨張する）。また、一方のポンプ部２１Ａにおいてポンプ室Ａ１が収縮すると、他方のポンプ部２１Ｂにおいてポンプ室Ａ１が膨張する。
【００２０】
ポンプ室Ａ１が膨張して減圧されると、入口側逆止弁２４が弁開して入口側開口２０１からポンプ室Ａ１に流動体が導入される。一方、ポンプ室Ａ１が収縮して昇圧されると、出口側逆止弁２５が弁開してポンプ室Ａ１内の流動体が出口側開口２０２から外部に排出される。
【００２１】
後述するように切換装置３によってポンプ部２１Ａ、２１Ｂのそれぞれの作動流体室Ａ２に交互に作動流体が供給されることにより、センターロッド２２がＸ方向に往復移動し、ポンプ部２１Ａ、２１Ｂのポンプ室Ａ１が互い違いに膨張及び収縮を繰り返す。これにより、入口側開口２０１から導入された流動体が出口側開口２０２から排出され、流動体が外部に供給される。
【００２２】
検出装置４は、検出子４１と、収容部４２と、を有する。検出子４１は、例えばステンレス等の金属部材によって、Ｘ方向に沿って延びる棒状に形成され、本体部２９に凹状に形成された収容部４２に収容され、Ｘ方向に沿って往復移動する。収容部４２の開口近傍には弁座部が設けられており、検出子４１の外周面に設けられたＯリングが着座することにより、収容部４２内の空間が作動流体室Ａ２と区画されるようになっている。
【００２３】
切換装置３は、図２に示すように、２つのくびれ部を有する柱状部材としてのスプール３１と、スプール３１を収容する筒状の収容部３２と、スプール３１を押圧して移動させる押圧操作部３３と、を備える。収容部３２には、作動流体供給口３２１と、作動流体排出口３２２と、一方のポンプ部２１Ａの作動流体室Ａ２に連通する第１連通口３２３と、他方のポンプ部２１Ｂの作動流体室Ａ２に連通する第２連通口３２４と、一方のポンプ部２１Ａの収容部４２内の空間に連通する第３連通口３２５と、他方のポンプ部２１Ｂの収容部４２内の空間に連通する第４連通口３２６と、が形成されている。
【００２４】
スプール３１は、作動流体供給口３２１と、連通口３２３、３２４のうち一方と、を連通させるとともに、連通口３２３、３２４の他方と作動流体排出口３２２とを連通させる。即ち、作動流体供給口３２１と連通した作動流体室Ａ２に作動流体が供給されて膨張し、作動流体排出口３２２と連通した作動流体室Ａ２から作動流体が排出されて収縮する。
【００２５】
上記のようにポンプ室Ａ１が膨張（作動流体室Ａ２が収縮）し、ディスク２６が検出子４１に当接して検出子４１が後退移動すると、この検出子４１が設けられた作動流体室Ａ２と、スプール３１のＺ方向両側に形成された切換室３２７、３２８の一方と、が連通する。収縮する作動流体室Ａ２は作動流体排出口３２２に接続されており、膨張する際よりも低圧となっている。従って、収縮する作動流体室Ａ２と連通した切換室は、他方の切換室よりも低圧となり、低圧な切換室側に向かってスプール３１がＺ方向に移動する。これにより、作動流体供給口３２１又は作動流体排出口３２２と連通する連通口３２３、３２４が切り換わり、それまで収縮していた作動流体室Ａ２に作動流体が供給されるようになる。このように、切換装置３は、ダイアフラム部２３０の動作に応じてスプール３１が移動し、供給手段の流体供給先を切り換える。
【００２６】
上記の動作について具体例を挙げて説明する。図２に示すようにスプール３１が第１位置（Ｚ方向上側位置）に位置し、作動流体供給口３２１と第２連通口３２４が連通し、作動流体排出口３２２と第１連通口３２３とが連通すると、他方のポンプ部２１Ｂにおける作動流体室Ａ２に作動流体が供給され、一方のポンプ部２１Ａにおける作動流体室Ａ２の作動流体が排出される。即ち、センターロッド２２は、他方のポンプ部２１Ｂ側に向かって移動する。センターロッド２２が所定距離だけ移動すると、一方のポンプ部２１Ａにおいてディスク２６が検出子４１に当接する。
【００２７】
これにより、一方のポンプ部２１Ａの作動流体室Ａ２と切換室３２７とが連通し、切換室３２７が切換室３２８よりも低圧となる。この圧力差によってスプール３１が切換室３２７側に向かって移動して第２位置（Ｚ方向下側位置）に位置づけられ、作動流体供給口３２１と第１連通口３２３が連通し、作動流体排出口３２２と第２連通口３２４が連通するようになる。
【００２８】
収容部４２内の空間に連通する第３連通口３２５および第４連通口３２６は、スプール３１の位置に関わらず常に作動流体供給口３２１と連通している。これにより、収容部４２内の空間に圧縮空気が供給されるようになっている。
【００２９】
収容部３２は、Ｚ方向下方側に開口した有底筒状に形成されており、切換装置３は、この開口を塞ぐフランジ部３４をさらに備える。押圧操作部３３は、このフランジ部３４を貫通するように設けられる。即ち、押圧操作部３３は、下方から押圧されることによって上方に移動し、スプール３１の下端に当接することにより、スプール３１を押圧して収容部３２の上端側に移動させて第１位置に位置付ける。これにより、押圧操作部３３は、スプール３１を押圧することにより、流体供給先を他方のポンプ部２１Ｂの作動流体室Ａ２に強制的に決定する。押圧操作部３３の下端部は、図３にも示すように、雌ネジ部３３１を有する。
【００３０】
押圧操作部３３には、図４に示すように、スプール３１を上方側に押圧した状態を維持可能な維持機構５が設けられている。維持機構５は、収容部３２に対して固定される被固定部５１と、被固定部５１によって支持可能な被支持部５２と、を有する。
【００３１】
円盤状のフランジ部３４には、収容部３２に固定するための３つのネジ挿通孔が形成されている。被固定部５１は、フランジ部３４における２つのネジ挿通孔から中心部に向かって延びる２つの延在部５１１、５１２を有してＬ字状に形成されている。延在部５１１、５１２には、フランジ部３４のネジ挿通孔に重なる位置に、ネジ挿通孔が形成されている。これにより、フランジ部３４および被固定部５１が共締めによって収容部３２に固定されるようになっている。
【００３２】
また、２つの延在部５１１、５１２が連結される部分には、押圧操作部３３が挿通される貫通孔５１３が形成されている。さらに、貫通孔５１３の内周面に雌ネジ部が形成されている。
【００３３】
被支持部５２は、図５、６にも示すように、押圧操作部３３の雌ネジ部３３１と螺合する第１雄ネジ部５２１を一端側に有するとともに、六角レンチ等が嵌合して操作される被嵌合部５２２を他端側に有する。被支持部５２には、第１雄ネジ部５２１と被嵌合部５２２との間に、被固定部５１の貫通孔５１３における雌ネジ部と螺合する第２雄ネジ部５２３が形成されている。
【００３４】
被支持部５２は、第１雄ネジ部５２１が雌ネジ部３３１と螺合することにより、押圧操作部３３に対してスプール３１の反対側に取り付けられる。押圧操作部３３が上方側に移動した際に、第２雄ネジ部５２３が被固定部５１に接近し、貫通孔５１３の雌ネジ部と螺合可能となる。図６に示すように、被支持部５２の第２雄ネジ部５２３と、被固定部５１の貫通孔５１３の雌ネジ部と、が螺合することにより、被支持部５２が被固定部５１によって支持され、押圧操作部３３がスプール３１を上方側に押圧した状態が維持される。
【００３５】
ここで、ダイアフラムポンプ１を組み立てる際に、本体部２９に対して一対のダイアフラム体２３Ａ、２３Ｂを取り付ける詳細な手順について説明する。まず、センターロッド２２に対し、他方のポンプ部２１Ｂを構成するダイアフラム体２３Ｂを固定するとともに、ダイアフラム体２３Ｂの縁部を本体部２９と筐体２８とによって挟み込むことにより、ダイアフラム体２３Ｂを本体部２９に対して取り付ける。
【００３６】
次に、供給手段による作動流体の供給を開始するとともに、押圧操作部３３および被支持部５２を上方側に移動させ、被支持部５２の第２雄ネジ部５２３と、被固定部５１の貫通孔５１３の雌ネジ部と、を螺合させる。これにより、他方のポンプ部２１Ｂの作動流体室Ａ２に作動流体が供給されるようになる。このとき、センターロッド２２が他方のポンプ部２１Ｂ側（図１における右側）に移動する。
【００３７】
このような状態において、センターロッド２２に対し、一方のポンプ部２１Ａを構成するダイアフラム体２３Ａを固定するとともに、ダイアフラム体２３Ａの縁部を本体部２９と筐体２８とによって挟み込むことにより、ダイアフラム体２３Ａを本体部２９に対して取り付ける。このようにダイアフラム体２３Ａを本体部２９に取り付ける際、ダイアフラム体２３Ａ側のディスク２６が検出子４１に当接したとしても、スプール３１の下方側への移動が規制されており、作動流体の供給先は、常に他方のポンプ部２１Ｂの作動流体室Ａ２となる。
【００３８】
ダイアフラム体２３Ａの本体部２９への取り付けが完了したら、被支持部５２の第２雄ネジ部５２３と、被固定部５１の貫通孔５１３の雌ネジ部と、の螺合を解除する。これにより、押圧操作部３３によってスプール３１を押圧した状態が維持されなくなり、スプール３１は検出子４１による検出に応じて移動可能となる。尚、ダイアフラムポンプ１の運転時には、被支持部５２を押圧操作部３３から取り外してもよい。
【００３９】
このような本実施形態によれば、以下のような効果がある。即ち、スプール３１を押圧して収容部３２の上端側に移動させることにより流体供給先を強制的に決定する押圧操作部３３に対し、押圧した状態を維持可能な維持機構５が設けられていることで、スプール３１を上端側に移動させ、流体供給先が切り換わらないようにすることができる。従って、作業時にセンターロッド２２が意図せずに移動することを抑制し、ダイアフラム体２３Ａを本体部２９に容易に取り付けることができる。
【００４０】
また、収容部３２に固定された被固定部５１によって、押圧操作部３３に対してスプール３１の反対側に取り付けられた被支持部５２が支持されることで、押圧操作部３３の移動を規制し、センターロッド２２の移動を抑制することができる。
【００４１】
また、第２雄ネジ部５２３と貫通孔５１３の雌ネジ部との螺合によって被支持部５２が被固定部５１によって支持されることで、螺合させることでスプール３１を押圧した状態を維持し、螺合を解除することでスプール３１の押圧を維持しない状態とすることができる。従って、ダイアフラムポンプ１の組立が完了して運転する際には、螺合を解除すればよく、維持機構５を取り外す必要がない。
【００４２】
また、フランジ部３４および被固定部５１が共締めによって収容部３２に固定されることで、被固定部５１を固定するための部位を、フランジ部３４や収容部３２に形成する必要がない。従って、従来形状のフランジ部を流用しやすく、低コストで維持機構５を設けることができる。
【００４３】
以上、実施形態を挙げて本発明を説明したが、本発明は、前記実施形態に限定されるものではなく、本発明の目的が達成できる他の構成等を含み、以下に示すような変形等も本発明に含まれる。
【００４４】
例えば、前記実施形態では、フランジ部３４および被固定部５１が共締めによって収容部３２に固定されるものとしたが、被固定部の収容部への固定方法は共締めに限定されず、被固定部を固定するための専用の雌ネジ部等を収容部またはフランジ部に形成してもよいし、被固定部を溶接によって収容部またはフランジ部に固定してもよい。
【００４５】
また、前記実施形態では、第２雄ネジ部５２３と貫通孔５１３の雌ネジ部との螺合によって被支持部５２が被固定部５１によって支持され、螺合を解除することで支持解除されるものとしたが、収容部に対して固定される被固定部と、押圧操作部に対して柱状部材の反対側に取り付けられる被支持部と、が支持解除不能に接続されていてもよい。即ち、ダイアフラム体の取り付けが完了したら、被固定部および被支持部を押圧操作部から取り外すことで、柱状部材の押圧が維持された状態を解除する構成としてもよい。
【００４６】
また、前記実施形態では、収容部３２に固定された被固定部５１によって、押圧操作部３３に対してスプール３１の反対側に取り付けられた被支持部５２が支持されることにより、柱状部材としてのスプール３１を押圧した状態を維持するものとしたが、柱状部材を押圧した状態を維持する構成はこれに限定されない。
【００４７】
例えば、図７に示すように、押圧操作部３５に、軸方向に直交する係止突起３５１を形成するとともに、収容部３６に、係止突起３５１を導入するための導入部３６１と、係止突起３５１を係止するための溝部３６２と、を形成することにより、柱状部材を押圧した状態を維持する構成としてもよい。図７に示す構成では、押圧操作部３５によって柱状部材を押圧し、係止突起３５１が導入部３６１の奥の規制壁３６３に当接したら、押圧操作部３５を回転させることにより、係止突起３５１が溝部３６２内に位置付けられて係止される。これにより、押圧操作部３５によって柱状部材を押圧した状態が維持される。
【００４８】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００４９】
１                 ダイアフラムポンプ
２２               センターロッド
２３Ａ、２３Ｂ     ダイアフラム体
２９               本体部
３                 切換装置
３１               スプール（柱状部材）
３２、３６         収容部
３３、３５         押圧操作部
３４               フランジ部
４                 検出装置
５                 維持機構
５１               被固定部
５２               被支持部
５２３             第２雄ネジ部
Ａ１               ポンプ室（送流体室）
Ａ２               作動流体室
【図１】
2020133516.tif 000003
【図２】
2020133516.tif 000004
【図３】
2020133516.tif 000005
【図４】
2020133516.tif 000006
【図５】
2020133516.tif 000007
【図６】
2020133516.tif 000008
【図７】
2020133516.tif 000009